(57)【要約】【課題】  歯ブラシ等の用具や器具類を、斜めに立てた状態で保管する曲げ筒型スタンドを提供する。【解決手段】  直筒の中途部を長短をつけて二つに折り曲げ、筒長手方向の上面中空部を斜め切断または切広げ、出し入れ口として天井側に配置し、筒短手方向の底面部に水勾配を附した底蓋を設け、さらに、水抜き穴を穿設して床側に配置し、筒を直立せしめて、筒底面を支え台に固着してなることを特徴とする曲げ筒型スタンド。【選択図】図１
0003215923.tif 000002
【実用新案登録請求の範囲】
【請求項１】
直筒の中途部を長短をつけて二つに折り曲げ、筒長手方向の上面中空部を斜め切断または切広げ、出し入れ口として天井側に、筒短手方向の底面部に水勾配を附した底蓋を設け、さらに、水抜き穴を穿設して床側に配置し、筒を直立せしめて、筒底面を支え台に固着してなることを特徴とする曲げ筒型スタンド。
【請求項２】
筒側面に磁石を備えた支え台を固着してなることを特徴とする請求項１の曲げ筒型スタンド。
【考案の詳細な説明】
【技術分野】
【０００１】  本考案は、筒の中途部を長短二つに折り曲げた構造からなる曲げ筒型スタンドである。
【背景技術】
【０００２】  従来、直立筒型のスタンドが知られている。例として、歯ブラシスタンドで説明する。
細菌の付着が多いとされている歯ブラシを保管する場合は、ケースやキャップで保管するよりも、歯ブラシを立てて保管するほうが、歯ブラシが早く乾燥して細菌の繁殖等を低減する事が出来るため、従来から直立筒型の歯ブラシスタンドが一般にく知られている。
（特許文献１参照）（特許文献２参照）（特許文献３参照）（特許文献４参照）。
【背景技術】
【特許文献】
【０００３】
【特許文献１】特開２０１３−０３１６１７
【特許文献２】特開２００５−３０４８０８
【特許文献３】特開２０００−２７１０２８
【特許文献４】実開昭６３−１７５４９３
【考案の概要】
【考案が解決しようとする課題】
【０００４】  具体例として、従来の直立筒型の歯ブラシスタンドで説明すれば、次のような問題点があった。
（イ）歯ブラシを、出し入れする時には、歯ブラシ柄が、出し入れ口の周縁等に頻繁に接触してしまうので、水滴が周囲に飛散して大変不衛生であった。
（ロ）歯ブラシを保管する際には、歯ブラシの毛先に付着している細菌含みの水滴が、歯ブラシの柄に垂直に垂れ伝わり、衛生上好ましくなかつた。
また、歯ブラシの毛先が他の器物等に接触したりするので、細菌の増殖を助長する可能性もあった。とくに、筒を複数連結した場合では、他人の歯ブラシの毛先と相互接触しやすいので、本当に不衛生であった。
（ハ）歯ブラシの出し入れ口は、狭小なので、子供や高齢者には使い勝手がよくなかった。
本考案は、以上の問題点を解決するためになされたものである。
【問題を解決するための手段】
【０００５】  本考案は、直筒の中途部を長短をつけて二つに折り曲げ、筒長手方向の上面中空部を斜め切断または切広げ、出し入れ口として天井側に配置し、筒短手方向の底面部に水勾配を附した底蓋を設け、さらに水抜き穴を穿設して床側に配置し、筒を直立せしめて、筒底面を支え台に固着してなる。
以上の構造からなる曲げ筒型スタンドである。
【考案の効果】
【０００６】  本考案の実施例１である曲げ筒型歯ブラシスタンドで説明する。
本考案を、先行技術である従来の直立筒型歯ブラシスタンドと対比すれば、本考案では、出し入れ口が従来よりも広く低くなるので、歯ブラシの出し入れ操作が円滑容易に出来、水滴の垂れや撥ねが減少し周囲をあまり汚さないで済む。
広く低くなった出し入れ口と、水抜き穴と、傾斜した底蓋との組み合わせにより、内部に水滴が溜まり難くなるので、清潔になり、筒内部の清掃作業が楽に出来る。
さらに、設置時に向きを調整すれば、より使い勝手が向上し、他の器物と接触し難くなり、歯ブラシの毛先部への細菌の付着や繁殖を低減することが出来る。
本考案は、高齢者や身障者に大変有効であり、とくに介護用として貢献出来る。
【図面の簡単な説明】
【０００７】
【図１】本考案に係る曲げ筒型スタンドの斜視図である。
【図２】本考案に係る曲げ筒型スタンドの側面図である。
【図３】図２における側面の断面図である。
【図４】本考案に係る実施例１の曲げ筒型歯ブラシスタンドの斜視図である。
【図５】本考案に係る実施例２の曲げ筒型ひげそりスタンドの斜視図である。
【図６】本考案に係る実施例３の曲げ筒型ＵＳＢメモリスタンドの斜視図である。
【図７】本考案に係る実施例４の曲げ筒型ペン立ての斜視図である。
【図８】本考案に係る実施例５の曲げ筒型傘立ての斜視図である。
【考案を実施するための形態】
【実施例１】
【０００８】  図４は、本考案の実施例１を示すものであり、曲げ筒型歯ブラシスタンドの実施の形態を以下に説明する。
（イ）合成樹脂成形品からなる長さ６０ミリ外径２３ミリ内径２０ミリの直筒を、長さ４０ミリと２０ミリの二対一の割合とし、内角６０度の角度にして二つに折り曲げる。
（ロ）長さ４０ミリの筒長手方向（２）の上面中空部を出し入れ口（１）として天井側に配置し、長さ２０ミリの筒短手方向（３）を床側に配置づける。
（ハ）出し入れ口（１）を内角３０度に斜め切断する。
（ニ）筒短手方向（３）の底面部に水勾配を附した底蓋（４）を設け、さらに、水抜き穴（５）を穿設する。
（ホ）筒短手方向（３）の筒底面を適切重量寸法の支え台（６）に固着する。
本考案は、以上のような構造で、これを使用するときは、洗面台や棚ケースに設置し、出し入れ口（１）を介して、歯ブラシを挿し入れて保管したり、取り出したりして使用する。従来の直立筒型と対比すれば、斜め切断した出し入れ口（１）は広く低くなるので、歯ブラシの出し入れ操作が円滑容易に出来、水滴の垂れや撥ねが減少し、周囲をあまり汚さないで済む。
なお、歯ブラシの柄の径が円形の場合は、歯ブラシの毛先が常に下向きになるので、他の器物等と接触することも少ない。
広く低くなった出し入れ口（１）と傾斜した底蓋（４）と水抜き穴（５）との組み合わせにより、内部に水滴が溜まり難く、清潔であり、また筒内部の清掃作業が楽に出来る。
さらに、筒にデザインした窓穴（１２）をあければ、更に使い勝手が向上する。
【実施例２】
【０００９】  図５は本考案に係る実施例２である曲げ筒型ひげそりスタンドの斜視図である。
【実施例３】
【００１０】  図６は本考案に係る実施例３である曲げ筒型ＵＳＢホルダースタンドの斜視図である。
【実施例４】
【００１１】  図７は本考案に係る実施例４である曲げ筒型ペン立てスタンドの斜視図である。【００１２】  図８は本考案に係る実施例５である曲げ筒型傘立てスタンドの斜視図である。
【符号の説明】
【００１３】    １  出し入れ口
２  筒長手方向
３  筒短手方向
４  底蓋
５  水抜き穴
６  支え台
７  歯ブラシ
８  ひげそり
９  ＵＳＢメモリ
１０  ペン
１１  傘
１２  窓穴
【図１】
0003215923.tif 000003
【図２】
0003215923.tif 000004
【図３】
0003215923.tif 000005
【図４】
0003215923.tif 000006
【図５】
0003215923.tif 000007
【図６】
0003215923.tif 000008
【図７】
0003215923.tif 000009
【図８】
0003215923.tif 000010
【手続補正書】
【提出日】平成30年1月26日(2018.1.26)
【手続補正１】
【補正対象書類名】実用新案登録請求の範囲
【補正対象項目名】請求項１
【補正方法】変更
【補正の内容】
【請求項１】
直筒の中途部を長短をつけて二つに折り曲げ、筒長手方向の上面中空部を斜め切断または切広げ、天井側に出し入れ口を設け、筒短手方向の底面部に水勾配を附した底蓋を設け、さらに、水抜き穴を穿設して床側に配置し、筒を直立せしめて、筒底面を支え台に固着してなることを特徴とする曲げ筒型スタンド。
【手続補正２】
【補正対象書類名】実用新案登録請求の範囲
【補正対象項目名】請求項２
【補正方法】変更
【補正の内容】
【請求項２】
筒底面に磁石を備えた支え台を固着してなることを特徴とする請求項１の曲げ筒型スタンド。